(57)【要約】【課題】プロジェクタ装置から発生する熱による周辺機器への悪影響を抑えることのできる遊技機を提供する。【解決手段】遊技演出用の映像を出射して遊技領域の背面側に投射するためのプロジェクタ装置２０が内部に設けられた遊技機筐体を有する遊技機において、プロジェクタ装置２０の筐体に設けられている排気口２０ｂから排出される気体を、排気ダクト２１により遊技機筐体外に排出する。プロジェクタ装置２０において発生する熱、具体的にはプロジェクタ装置２０からの排気を、遊技機内に設けられている制御基板４０等の周辺機器とは熱的に隔離して遊技機外部に排出する。こうすることにより、発生する熱による周辺機器への悪影響を抑えることができる。【選択図】　　　　図１
2004057705.tif 000002
【特許請求の範囲】
【請求項１】
遊技演出用の映像を出射して遊技領域の背面側に投射するためのプロジェクタ装置が内部に設けられた遊技機筐体を有する遊技機であって、前記プロジェクタ装置の筐体に設けられた吸気口から吸入されて該筐体に設けられた排気口から排出される気体を前記遊技機筐体外に排出する排気ダクトを含むことを特徴とする遊技機。
【請求項２】
前記吸気口の外側に設けられ該吸気口から前記プロジェクタ装置内部への塵埃流入を防ぐ外部塵埃フィルタを更に含むことを特徴とする請求項１記載の遊技機。
【請求項３】
前記排気ダクトから排出される気体に所定の香りを付与する香り付与手段を更に含むことを特徴とする請求項１又は２記載の遊技機。
【発明の詳細な説明】
【０００１】
【発明の属する技術分野】
本発明は遊技機に関し、特に遊技演出用の映像を出射して遊技領域の背面側に投射するためのプロジェクタ装置が内部に設けられた遊技機筐体を有する遊技機に関する。
【０００２】
【従来の技術】
遊技演出用の映像を出射するプロジェクタ装置と、このプロジェクタ装置から出射される映像を反射させて遊技機の背面側に投射する反射板とを含む遊技機が特開平６−３５０６６号公報に記載されている。図４は同公報に記載されている遊技機の概略構成図である。同図に示されているように、スロットマシン等の遊技機１において、液晶プロジェクタ装置２０を用いて表示画面を大幅に大型化する。すなわち、液晶プロジェクタ装置２０から出射される映像を反射板３０で反射し、その反射された映像を遊技領域に設けられたスクリーンの背面に投影している。これにより、液晶表示器を用いて画像を表示するよりも大きな画面が得られるので、より効果的な演出を行うことができる。
【０００３】
【発明が解決しようとする課題】
上述した遊技機においては、プロジェクタ装置から発生する熱が、遊技機内部の制御基板、スイッチ、センサー等の周辺機器に、誤動作等の悪影響を及ぼす可能性が考えられる。このため、有効な熱対策を講じる必要がある。
また、一般に、プロジェクタ装置内部には、防塵フィルタ（以下、内部塵埃フィルタと呼ぶ）が設けられている。この内部塵埃フィルタについては、使用時間、使用環境に応じて装置本体を分解してその内部を清掃する必要がある。
【０００４】
遊技店（ホール）内において、遊技者は、タバコを吸いながら遊技を行うことが少なくない。本人が喫煙しなくても、他の遊技者が喫煙していることもある。このため、遊技機の置かれている環境はタバコの煙や塵埃で汚れていることが多い。したがって、内部塵埃フィルタは、汚れが激しくなり、その清掃や交換のサイクルが短くなる傾向にある。
【０００５】
近年の遊技機の内部は、遊技機構成部品の複雑化及び多機能化のために、部品点数が増加する傾向にある。このため、遊技機に取付けられているプロジェクタ装置自体の着脱は容易ではない。さらに、上述した内部塵埃フィルタはプロジェクタ装置の内部に設けられているので脱着が容易でなく、清掃作業や交換作業に手間がかかるという問題がある。
【０００６】
本発明の目的は、プロジェクタ装置から発生する熱による周辺機器への悪影響を抑えることのできる遊技機を提供することである。また、本発明の他の目的は、プロジェクタ装置の内部塵埃フィルタの寿命を延ばし、かつ、清掃作業を簡素化することのできる遊技機を提供することである。
【０００７】
【課題を解決するための手段】
本発明の請求項１による遊技機は、遊技演出用の映像を出射して遊技領域の背面側に投射するためのプロジェクタ装置が内部に設けられた遊技機筐体を有する遊技機であって、前記プロジェクタ装置の筐体に設けられた吸気口から吸入されて該筐体に設けられた排気口から排出される気体を前記遊技機筐体外に排出する排気ダクトを含むことを特徴とする。プロジェクタ装置において発生する熱、具体的にはプロジェクタ装置からの排気を周辺機器とは熱的に隔離して遊技機外部に排出することにより、発生する熱による周辺機器への悪影響を抑えることができる。
【０００８】
本発明の請求項２による遊技機は、請求項１において、前記吸気口の外側に設けられ該吸気口から前記プロジェクタ装置内部への塵埃流入を防ぐ外部塵埃フィルタを更に含むことを特徴とする。吸気口の前面に外部塵埃フィルタを設けておき、このフィルタを交換することで、内部塵埃フィルタの寿命を延ばし、かつ、清掃作業を簡素化することができる。
【０００９】
本発明の請求項３による遊技機は、請求項１又は２において、前記排気ダクトから排出される気体に所定の香りを付与する香り付与手段を更に含むことを特徴とする。アロマテラピー（ａｒｏｍａｔｈｅｒａｐｙ）用の芳香剤等を取付けて香りを付与することにより、遊技者は落ち着いた気分で遊技を行うことができる。
【００１０】
【発明の実施の形態】
次に、図面を参照して本発明の実施の形態について説明する。なお、以下の説明において参照する各図においては、他の図と同等部分に同一符号が付されている。
図１は、本発明による遊技機の実施の一形態を示す概略構成図である。同図（ａ）は本実施形態による遊技機を搭載した遊技島の一部分を示す正面図、同図（ｂ）はその右側面図、同図（ｃ）は背面図である。
【００１１】
図２は、遊技機のプロジェクタ装置搭載部分の断面図であり、（ａ）は正面図、（ｂ）は右側面図、（ｃ）は背面図である。図３は、本発明による遊技機の実施の他の形態を示す概略構成図であり、（ａ）は正面図、（ｂ）は右側面図、（ｃ）は背面図である。
（熱的隔離）
図１（ａ）、（ｂ）を参照すると、遊技機１の筐体内には、遊技演出用の映像を出射するプロジェクタ装置２０と、このプロジェクタ装置２０から出射される映像を反射させて遊技盤１１の背面側に投射する反射板３０とが設けられている。反射板３０によって反射された映像は、遊技領域に設けられているスクリーンの背面に投影される。遊技者は、このスクリーンに投影された映像による演出を遊技領域の正面側から見ながら遊技を行うことになる。なお、遊技機１の前面にはハンドル１２、球皿１３が設けられ、反射板３０の反射面の裏面には遊技機自身を制御するための制御基板４０が設けられている。
【００１２】
遊技機１の下部に設けられているプロジェクタ装置２０の筐体内部には、吸気口２０ａから排気口２０ｂまで通気して装置内部を強制冷却する通気手段、例えば図示せぬ換気ファンが設けられている。
プロジェクタ装置２０の吸気口２０ａの内部には内部塵埃フィルタ（図示せず）が設けられている。この内部塵埃フィルタは、使用時間、使用環境に応じて装置本体を分解してその内部を清掃する必要がある。
【００１３】
一方、プロジェクタ装置２０の排気口２０ｂには、排気ダクト２１の一端が接続されている。この排気ダクト２１の他端は、同図（ｃ）に示されているように、遊技機１の筐体の背面に設けられている排気口２２に接続されている。このため、矢印Ｙに示されているように、排気ダクト２１によって、プロジェクタ装置２０からの排気を周辺機器とは熱的に隔離して遊技機の外部に排出することができる。よって、プロジェクタ装置２０から発生する熱による周辺機器への悪影響を抑えることができる。
【００１４】
なお、図１の場合においては、ダクト２１の排気口２２を遊技機の背面側に配置しているが、プロジェクタ装置２０からの排気を周辺機器とは熱的に隔離できれば、排気口を遊技者側に設けたり、遊技機の上方面に設けたりしても良く、図１に示されている位置に限定されることはない。
（フィルタの追加）
近年の遊技機の内部は、遊技機構成部品の複雑化及び多機能化のために、部品点数が増加する傾向にある。このため、遊技機に取付けられているプロジェクタ装置自体の着脱は容易ではない。また、上述したように、プロジェクタ装置２０の吸気口２０ａの内部には図示せぬ内部塵埃フィルタが設けられており、使用時間、使用環境に応じて装置本体を分解してその内部を清掃する必要がある。このように、内部塵埃フィルタの着脱は容易ではない。
【００１５】
そこで、図２に示されているように、吸気口２０ａの前面に外部塵埃フィルタ２３を設け、この外部塵埃フィルタ２３によってプロジェクタ装置２０内への塵埃流入を防ぐ。そして、この外部塵埃フィルタ２３を定期的に交換することで、図示せぬ内部塵埃フィルタの寿命を延ばし、かつ、清掃作業を簡素化することができる。すなわち、外部塵埃フィルタ２３によって大部分の塵埃を除去できるので、この外部塵埃フィルタ２３を交換すれば、内部塵埃フィルタを交換する頻度を極めて低く抑えることができる。なお、必要であれば、さらに塵埃フィルタを追加し、塵埃フィルタの枚数を増加しても良いことは勿論である。
（芳香剤の設置）
ところで、プロジェクタ装置２０内部には高輝度のランプが設けられているので、その排気は約８０度前後に熱せられている。このプロジェクタ装置２０には、上述したように、吸気口から排気口まで通気して装置内部を強制冷却するファンが設けられている。
【００１６】
そこで、その熱源からの空気を熱的に隔離するために設けられているダクトから排出される気体に所定の香りを付与すれば、遊技者は落ち着いた気分で遊技を行うことができる。香りを付与するには、例えば図３に示されている構成を採用する。すなわち、同図に示されているように、ダクト２１’の排気口２２’を遊技者側（遊技盤正面側）に配置する。これにより、プロジェクタ装置２０の排気を矢印Ｙ１〜Ｙ３に示されているように、遊技者側に排出することができる。そして、この排気口２２’部分に、アロマテラピー用の芳香剤等を取付ける。これにより、遊技者は落ち着いた気分で遊技を行うことができる。
【００１７】
なお、本例において、プロジェクタ装置２０からの排気温度は、アロマオイルを蒸発させるのに適した温度である。必要であれば、芳香剤を設ける位置を、プロジェクタ装置２０の排気口２０ｂに近づけ、蒸発効果を高めても良い。また、アロマテラピー用に限らず、排気口２２’から排気される空気に所定の香りを付与するための芳香剤を設ければ良い。
【００１８】
図３の場合においては、ダクト２１’の排気口２２’を遊技者側に配置しているが、それを図１の場合と同様に背面側に設けたり、遊技機の上方面に設けたりしても良く、図３に示されている位置に限定されることはない。なお、図２に示されている外部塵埃フィルタを設けると共に、図３に示されている芳香剤を設けても良いことは勿論である。
【００１９】
【発明の効果】
以上説明したように本発明は、遊技演出用の映像を出射して遊技領域の背面側に投射するためのプロジェクタ装置が内部に設けられた遊技機筐体を有する遊技機において、プロジェクタ装置の排気口から排出される気体を遊技機筐体外に排出する排気ダクトを設けることにより、プロジェクタ装置からの排気を周辺機器とは熱的に隔離して遊技機外部に排出し、発生する熱による周辺機器への悪影響を抑えることができるという効果がある。
【００２０】
また、吸気口の外側に、プロジェクタ装置内部への塵埃流入を防ぐ外部塵埃フィルタを設け、これを交換することで、内部塵埃フィルタの寿命を延ばし、かつ、清掃作業を簡素化することができるという効果がある。
さらに、排気ダクトから排出される気体に所定の香りを付与することにより、遊技者は落ち着いた気分で遊技を行うことができるという効果がある。
【図面の簡単な説明】
【図１】本発明による遊技機の実施の一形態を示す概略構成図であり、（ａ）は正面図、（ｂ）は右側面図、（ｃ）は背面図である。
【図２】遊技機のプロジェクタ装置搭載部分の断面図であり、（ａ）は正面図、（ｂ）は右側面図、（ｃ）は背面図である。
【図３】本発明による遊技機の実施の他の形態を示す概略構成図であり、（ａ）は正面図、（ｂ）は右側面図、（ｃ）は背面図である。
【図４】プロジェクタ装置を利用した従来の遊技機の概略構成図である。
【符号の説明】
１　遊技機
１１　遊技盤
１２　ハンドル
１３　球皿
２０　プロジェクタ装置
２０ａ　吸気口
２０ｂ　排気口
２１、２１’　ダクト
２２、２２’　排気口
２３　外部塵埃フィルタ
３０　反射板
４０　制御基板
【図１】
2004057705.tif 000003
【図２】
2004057705.tif 000004
【図３】
2004057705.tif 000005
【図４】
2004057705.tif 000006